(57)【要約】【課題】同一放送局によって複数のチャンネルが放送される場合において、少ない操作にて容易に選局を可能にするデジタル放送受信機を提供することを目的とする。【解決手段】チューナー１２を制御し、チャンネルを切り替える。それと同時にどのチャンネルが選局されたかをメモリー１８に記憶する。再びボタン操作が行われ、チャンネル選局された場合は、選局されたチャンネルが現在メモリー１８に記憶しているチャンネルと同一の場合は、チューナー１２を制御し、同一物理チャンネルの同一放送局の一つ上の番組チャンネルを選局することにより、同一放送局が放送する複数のチャンネルを順番に切り替えることができる。【選択図】  図１
2004159130.tif 000002
【特許請求の範囲】
【請求項１】
デジタル放送を受信する手段を備え、一つの放送局から送信されている複数チャンネルを、単一ボタン操作にて順番に選局し表示することを特徴とするデジタル放送受信機。
【請求項２】
デジタル放送を受信するチューナー部、復調部、リモコン信号受光部と、チューナー部を制御し選局するためのマイコンを備え、放送局を指定するボタンを有するリモコンにより、同一放送局から放送されている複数チャンネルをリモコンの同一ボタンによって順番に切り替えられる制御装置を備えるデジタル放送受信機。
【請求項３】
デジタル放送を受信する手段を備え、一つの放送局が複数のチャンネルを放送していることを視聴者に知らせることを特徴とするデジタル放送受信機。
【請求項４】
デジタル放送を受信するチューナー部、復調部、リモコン信号受光部と、チューナー部を制御し選局するためのマイコンを備え、一つの放送局が複数のチャンネルを放送していることを視聴者に知らせる表示装置を備えたデジタル放送受信機。
【請求項５】
デジタル放送を受信する手段を備え、放送されているチャンネルのうち一つの放送局から送信されている複数チャンネルを複数同時に表示することを特徴とするデジタル放送受信機。
【請求項６】
デジタル放送を受信するチューナー部、復調部、リモコン信号受光部と、チューナー部を制御し選局を行うためのマイコンを備え、一つの放送局が放送している複数のチャンネルの映像を蓄積する蓄積部とそれを複数同時に表示するための多重化部を備えたデジタル放送受信機。
【発明の詳細な説明】
【０００１】
【発明の属する技術分野】
本発明は、デジタル放送を受信するデジタル放送受信機に関するものである。
【０００２】
【従来の技術】
放送のデジタル化によって、ＢＳデジタル放送などに見られるように、一つの放送局が複数のチャンネルを使って複数の番組を放送する形態がみられるようになった（例えば、特許文献１参照。）。
【０００３】
以下に図２を使って現行のデジタル放送受信機を使って番組を選択する方法を説明する。図２において、パラボラアンテナ２１で受けたデジタル放送を受信するチューナー２２とチャンネル切り替えを行うマイコン２３とそのマイコンに入力されるリモコン信号を受信する受光部２４とリモコン信号を発するリモコン２５から構成されるシステムにおいて、チャンネルを選局する場合、リモコン２５上の各放送局に対応したチャンネルボタン２６を押すことにより、その放送局のチャンネルに切り替わる。同一放送局によって複数チャンネルが放送中の時は、一番番号の小さなチャンネルに切り替わる。その放送局が同時に放送している他のチャンネルに切り替える時は、チャンネルアップ・ダウンボタン２７により切り替える。例えばＡ放送局が３チャンネルの放送（各チャンネルを順にそれぞれ○○○ｃｈ、△△△ｃｈ、×××ｃｈとする）を行っている時に、×××ｃｈを選局するにはまずＡ放送局に対応するボタンを押し、その後、チャンネルアップボタンを２回押すことにより選局する。
【０００４】
図３に現在放送されているＢＳデジタル放送の物理チャンネルと番組チャンネルの対応を示す。この図からわかるように、同一物理チャンネル内において複数の放送事業者が放送をしており、一つの放送局においても複数の番組チャンネルを持って放送することが可能であり、実際に最大３チャンネルまで同時放送が行われている。
【０００５】
図４は実際の番組構成の一例を示している。この図４の７時、９時台に見られるように３チャンネル分の帯域幅を使ってハイビジョン放送をする場合もあれば、８時台のようにチャンネルごとに別々の放送を行う場合もある。
【０００６】
【特許文献１】
特開２０００−３３３１３６号公報
【０００７】
【発明が解決しようとする課題】
しかしながら上記の従来の構成では、放送局の選択とその放送局が放送している複数のチャンネルを選択する２つのボタン操作が必要であり、また選局してみて初めて複数の番組が放送されていることがわかるため、視聴者にとって不便であるという問題点を有していた。
【０００８】
本発明は上記従来の問題点を解決するもので、同一放送局によって複数のチャンネルが放送される場合において、少ない操作にて容易に選局を可能にするデジタル放送受信機を提供することを目的とする。
【０００９】
【課題を解決するための手段】
この目的を達成するために本発明のデジタル放送受信機は、デジタル放送を受信するチューナー部、復調部、リモコン信号受光部と、チューナー部を制御し選局するためのマイコンを備え、放送局を指定するボタンを有するリモコンにより、同一放送局から放送されている複数チャンネルをリモコンの同一ボタンによって順番に切り替わる制御装置を備えた構成を有している。
【００１０】
また、複数の番組が同一放送局によって放送されているかどうかも、デジタル放送を受信するチューナー部、復調部、リモコン信号受光部と、チューナー部を制御し選局するためのマイコンを備え、一つの放送局が複数のチャンネルを放送していることを視聴者に知らせる表示装置を備えた構成を有している。
【００１１】
【発明の実施の形態】
（実施の形態１）
以下本発明の実施の形態１について図を用いて説明する。図１にあるように、デジタル放送受信機１１１はリモコン送信機１９からの信号、例えばチャンネル選択、音量アップ等をリモコン受光部１７で受け、その信号をマイコン１６に入力し、その信号を解釈し、それがチャンネル選局の信号であるなら、チューナー１２を制御し、チャンネルを切り替える。それと同時にどのチャンネルが選局されたかをメモリー１８に記憶する。再びボタン操作が行われ、チャンネル選局された場合は、選局されたチャンネルが現在メモリー１８に記憶しているチャンネルと同一の場合は、チューナー１２を制御しその放送局が放送している複数のチャンネルのうちの他の番組チャンネルに切り替える。具体的には、同一物理チャンネルの同一放送局の一つ上の番組チャンネルを選局し、放送が無い場合は、同一チャンネルを選局したままとする。一方選局された放送局が現在受信し画面表示しているチャンネルの放送局と異なる場合は、押されたボタンに割り当てられた放送局の第一チャンネルに切り替える。一つのボタンを繰り返し押すことにより、同一放送局が放送する複数のチャンネルを順番に切り替えることができ、すばやく番組にアクセスすることができる。
【００１２】
また、図１にあるように、デジタル放送受信機１１１はリモコン送信機１９からの信号をリモコン受光部１７で受け、その信号をマイコン１６に入力する。それがチャンネル選局の信号であるなら、チューナー１２を制御し、チャンネルを切り替える。その時に同一放送局が放送中のチャンネルの有無をメモリー１８に記憶する。リモコン送信機１９で再びチャンネルが選局された時、現在受信し画面表示しているチャンネルと同一の場合は、メモリー１８の内容を読み出し、別チャンネルが放送中であることをマイコン１６から出力し、それを映像信号処理部１４に入力する。チューナー１２から出力された信号は復調部１３にて復調された後、映像信号処理部１４に入力され、先ほど説明したマイコン１６からの信号と多重化された後、表示装置１５に入力し、表示する。
【００１３】
さらに、図１に示されているように、現在受信しているチャンネルの放送局に割り当てられているリモコン送信機１９のボタンを再度押すことにより、同一物理チャンネルの中の同一放送局が放送中のチャンネルをマイコン１６が復調部１３より得られる情報により判断し、順番に選局するようチューナー１２を制御し、復調部１３、映像信号処理部１４を経て得られた映像信号を映像メモリー１１０に蓄積し、同一放送局が放送中の番組が全て蓄積できた時点で読み出し、映像信号処理部１４にて多画面処理し、画面表示することにより、現在複数チャネルが放送されることが視聴者にわかり、なおかつ、リモコン送信機１９のボタン操作により、そのうちの一つのチャンネルを選択することで、煩雑な操作をすることなしに番組選択を行える。
【００１４】
【発明の効果】
以上のように本発明によると、同一放送局によって複数のチャンネルが放送される場合において、少ない操作にて容易に選局を可能にするデジタル放送受信機を提供できる。
【図面の簡単な説明】
【図１】本発明の実施の形態１におけるデジタル放送受信機の構成を示すブロック図
【図２】従来のデジタル放送受信機の構成を示すブロック図
【図３】現在放送されているＢＳデジタル放送の物理チャンネルと番組チャンネルの対応を示す図
【図４】番組編成の一例を示す図
【符号の説明】
１１  パラボラアンテナ
１２  チューナー
１３  復調部
１４  映像信号処理部
１５  表示装置
１６  マイコン
１７  リモコン受光部
１８  メモリー
１９  リモコン送信機
１１０  映像メモリー
１１１  デジタル放送受信機
２１  パラボラアンテナ
２２  デジタルチューナー
２３  マイコン
２４  リモコン受光部
２５  リモコン
２６  放送局に対応したチャンネルボタン
２７  チャンネルアップ・ダウンボタン
【図１】
2004159130.tif 000003
【図２】
2004159130.tif 000004
【図３】
2004159130.tif 000005
【図４】
2004159130.tif 000006